(57)【特許請求の範囲】
【請求項１】
ナトリウム，水銀および希ガスを放電媒体として封入した気密容器およびこの気密容器内で放電を発生させる一対の電極とをそれぞれ有し、一方が点灯中に他方が待機すると共に、その一方と他方の軸方向両端部との最短距離が１０ｍｍ未満で並設されている複数の電気的に並列接続した発光管と；複数の発光管を収容する中管；複数の発光管および中管を内蔵する外管と；外管内で複数の発光管を給電自在に支持する支持構体と；外管に装着されて支持構体に給電する受電部と；を具備していることを特徴とする高圧ナトリウムランプ。
【請求項２】
複数の発光管は、それぞれナトリウムアマルガムを含む放電媒体が封入され、アマルガムの全重量に対してナトリウム比が共に１５重量％以上であることを特徴とする請求項１記載の高圧ナトリウムランプ。
【請求項３】
各発光管内には希ガスが１０〜３００ｔｏｒｒで封入されており、２本の発光管の最短距離を２ｍｍ以下に設定していることを特徴とする請求項１または２記載の高圧ナトリウムランプ。
【請求項４】
中管に光拡散手段を設けていることを特徴とする請求項１ないし３いずれか一記載の高圧ナトリウムランプ。
【請求項５】
中管を石英ガラスまたは透光性セラミックスにより円筒に形成していることを特徴とする請求項１ないし請求項４いずれか一記載の高圧ナトリウムランプ。
【請求項６】
請求項１ないし５のいずれか一記載の高圧ナトリウムランプと；複数の発光管の各対の電極に電気的に並列に接続されて、これらに電力を安定的に給電して一方を点灯させるときには、他方を待機させる点灯回路と；を具備していることを特徴とする点灯装置。
【請求項７】
請求項１ないし５のいずれか一記載の高圧ナトリウムランプと；高圧ナトリウムランプを収容する器具本体と；を具備していることを特徴とする照明装置。
【発明の詳細な説明】
【０００１】
【発明の属する技術分野】
本発明は１つの外管内に例えば２本の発光管を収容し、一方の発光管が点灯中のときは他方の発光管を待機させる高圧ナトリウム等の高圧ナトリウムランプ，点灯装置および照明装置に関する。
【０００２】
【従来の技術】
一般に、高圧ナトリウムランプやメタルハライドランプなどの高圧蒸気放電ランプは点灯中の金属蒸気圧が１気圧以上になるため放電開始電圧が非常に高い。したがって瞬時停電など一時的に電源の供給が断たれ、その後、瞬時に電源が復帰した場合に、再始動させるためには通常発光管がある程度冷えて内部の水銀や金属の蒸気圧が低くなるまで待たなければならない。例えば高圧ナトリウムランプの場合には約１分、メタルハライドランプの場合には約１０分程度の時間を要する。
【０００３】
このために、これらランプを道路照明やトンネル照明等に用いた場合は不便である。
【０００４】
そこで上述の瞬時再始動を実現するため１０ｋＶ以上の高圧の始動パルスを発光管の一対の電極管に印加する方法もある。しかし、これでは大型で高価なパルス発生装置が必要であり、しかも、その高圧パルスで絶縁破壊を起こさない特殊なランプ口金、例えばセラミックス製のピンタイプやランプ構造、例えば両口金構造にしなければならないので、従来の広く使用されている安価な照明器具に互換性がない。
【０００５】
これを改善するため、米国特許第４２８７４５４号明細書には、１つの外管内に電気的に並列に接続された２本の発光管を収納して、瞬時停電など一時的に電源の供給が断たれてから再び瞬時に復帰した場合に待機側の発光管を点灯（瞬時再始動）させる高圧ナトリウムランプが提案されている。
【０００６】
しかし、こうした高圧ナトリウムランプの瞬時再始動時の全光束は安定点灯時の全光束に対する比率で約１０％程度であり、前述の１０ｋＶ以上の高圧の始動パルスを発光管の一対の電極間に印加する方法の約９０％程度に比較して極めて少なく、非常灯光源として使用する場合には数多く設置しなければならず、却ってコストアップを招くという課題がある。
【０００７】
【発明が解決しようとする課題】
このような瞬時再始動時の全光束の低さは発光金属の蒸気圧の低さ、すなわち待機側発光管中の発光金属の蒸気圧の低さによるものである。そしてこの発光金属の蒸気圧を高めるための熱源はもう一方のそれまで点灯していた発光管である。
【０００８】
したがって、この熱源である点灯中の発光管の発生熱を停電前に効果的に待機側発光管に与熱することにより、瞬時再始動時のランプの全光束をアップさせることが可能になる。
【０００９】
そこで、従来より本発明者らにより２本の発光管を覆う形で外管と発光管の間に石英製の中管を配置して点灯中の発光管により待機中の発光管を高効率で与熱することを提案している。
【００１０】
しかし、これらのランプの点灯試験を繰り返す過程において、主な発光金属の凝縮箇所、つまり、待機中の発光管の最冷部である発光管の軸方向端部と、点灯中の発光管の最短距離がある一定値以上離間している場合には再始動時の全光束が急激に低くなってしまうことが発見された。
【００１１】
本発明はこのような事情に鑑みてなされたもので、その目的は、瞬時再始動時の全光束の輝度を高めることができる高圧ナトリウムランプ，点灯装置および照明装置を提供することにある。
【００１２】
【課題を解決するための手段】
本願の請求項１の発明は、ナトリウム，水銀および希ガスを放電媒体として封入した気密容器およびこの気密容器内で放電を発生させる一対の電極とをそれぞれ有し、一方が点灯中に他方が待機すると共に、その一方と他方の軸方向両端部との最短距離が１０ｍｍ未満で並設されている複数の電気的に並列接続した発光管と；複数の発光管を収容する中管；複数の発光管および中管を内蔵する外管と；外管内で複数の発光管を給電自在に支持する支持構体と；外管に装着されて支持構体に給電する受電部と；を具備していることを特徴とする。
【００１３】
本請求項によれば、１つの外管内に収容されている例えば２本の発光管を、その一方と隣り合う他方の軸方向端部との最短距離が１０ｍｍ未満で近接するように並設しているので、外管内で一方の発光管が点灯中のときは、この点灯中の発光管の発熱により、待機中の他方の発光管の最冷部を加熱することができる。
【００１４】
このために、瞬時停電等で一時的に電源を喪失し、かつ瞬時に復帰したときには、待機中の発光管が瞬時点灯（再始動）し、その瞬時再始動時の全光束も例えば安定点灯時の全光束に対する比率で約２０％程度に高めることができる。
【００１５】
このような本発明の作用効果についての明確なメカニズムは不明であるが、次のように考えることができる。
【００１６】
すなわち、発光管の管端には凝集したアマルガムがあり、そのアマルガム凝集箇所が最冷部であり、その最冷部温度によってナトリウムおよび水銀の蒸気圧が左右される。しかし、その緩衝ガスである水銀の蒸気圧によってアークの電位傾度が決まり、その電位傾度によって発生するエネルギーによりナトリウムの発光強度（その発光は原子が一定以上のエネルギーを受けた時にその電離により起こる現象である）が決まる。
【００１７】
すなわち、発光管の全光束はナトリウムの蒸気圧と主に水銀蒸気圧によって決まるアークの電子傾度に依存していて、ナトリウム蒸気圧と水銀蒸気圧の２つの要因が複雑に絡み合っているのである。
【００１８】
したがって、全光束は発光管端部の温度によって単純に増加するものではない。そこで本発明のように待機側発光管の管端ともう一方の発光管との最短距離（Ｌ）が１０ｍｍ以上になると、その距離によって変化する放射熱による待機側発光管の管端の温度が低下して急激に光束が低下してしまうターニングポイントとなる最冷部温度になっているのではないかと考えられる。
【００１９】
また、２本の発光管の外周を中管により囲むので、これら発光管を保温することができる。このために、ナトリウムの蒸気圧を高めることができるので、待機側発光管の再始動時の全光束を向上させることができる。
【００２０】
請求項２の発明は、複数の発光管は、それぞれナトリウムアマルガムを含む放電媒体を封入され、アマルガムの全重量に対してナトリウム比が共に１５重量％以上であることを特徴とする。
【００２１】
本請求項によれば、各発光管の水銀アマルガムに対するナトリウム比が共に１５重量％以上であるので、瞬時再始動時の全光束を安定点灯時の全光束に対する比率で、アマルガムナトリウム比が１５重量％未満の場合の約１０％程度から約２０％程度に向上させることができた。
【００２２】
請求項３の発明は、各発光管内には希ガスが１０〜３００ｔｏｒｒで封入されており、２本の発光管の最短距離を２ｍｍ以下に設定していることを特徴とする。
【００２３】
本請求項によれば、２本の発光管同士を、これらの最短距離が２ｍｍ以下になるように近接させているので、点灯中の発光管の発熱により待機中の発光管を効率的に加熱することができる。このために、ナトリウムの蒸気圧を高めることができるので、待機側発光管の瞬時再始動時の全光束を向上させることができる。
【００２４】
請求項４の発明は、中管に光拡散手段を設けていることを特徴とする。
【００２５】
本請求項によれば、中管に光拡散手段を設けたので、光拡散効果を奏することができる。
【００２６】
請求項５の発明は、中管を石英ガラスまたは透光性セラミックスにより円筒に形成していることを特徴とする。
【００２７】
本請求項によれば、中管が石英ガラス製、または透光性セラミックス製でも保温効果を有するので、請求項１の発明とほぼ同様の作用効果を奏することができる。
【００２８】
請求項６の発明は、請求項１ないし５のいずれか一記載の高圧ナトリウムランプと；複数の発光管の各対の電極に電気的に並列に接続されて、これらに電力を安定的に給電して一方を点灯させるときには、他方を待機させる点灯回路と；を具備していることを特徴とする。
【００２９】
請求項７の発明は、請求項１ないし５のいずれか一記載の高圧ナトリウムランプと；高圧ナトリウムランプを収容する器具本体と；を具備していることを特徴とする。
【００３０】
したがって、請求項６の点灯装置と、請求項７の照明装置は、共に請求項１ないし５のいずれか一記載の高圧ナトリウムランプを有するので、これらランプとほぼ同様の作用効果を奏することができる。
【００３１】
【発明の実施の形態】
以下、本発明の実施の形態を図１〜図７に基づいて説明する。なお、図１〜図７中、同一または相当部分には同一符号を付している。
【００３２】
図１は本発明の第１の実施形態に係る高圧ナトリウムランプの正面図、図２はその側面図、これらの図において、高圧ナトリウムランプ１は硬質ガラス製で一端に口金２を設けた例えばＴ形の外管３内に、２本の発光管４，５を収容している。外管３内は例えば１／１００００Ｔｏｒｒ程度の高真空に保たれる。口金２は、シェル２ａとアイレット端子２ｂを有するねじ込み形口金である。
【００３３】
発光管４，５は、図３に示すように多結晶アルミナまたは単結晶アルミナなどの透光性セラミックチューブからなる気密容器であるバルブのチューブ本体ａと、その軸方向両端部ｂとを一体的に形成してセミクローズド形状に形成している。また、両端部ｂの貫通孔ｃに、ニオビウム（Ｎｂ）またはこれとジルコニウム（Ｚｒ）との合金等からなる各電気導入体６，７の端部を気密に挿入して封着剤ｄにより封着し、これら各電気導入体６，７の内端部に主電極８，８をそれぞれ固着して電気的に接続している。
【００３４】
各発光管４，５には、適量のナトリウムと水銀（Ｈｇ）とキセノンガス（Ｘｅ）等の希ガスとを封入して、バルブの軸方向一端部にはＨｇアマルガムが溜められて最冷部となるアマルガム溜を形成するようになっている。
【００３５】
そして、図１，２に示すように２本の発光管４，５同士は平行な２平面内でそれぞれＸ状に交差するように並設されると共に、一方の発光管、例えば４と、他方の発光管５の軸方向両端部同士の最短距離Ｌが１０ｍｍ未満で近接するように、図中上下一対の絶縁固定バンド９ａ，９ｂにより固定されている。
【００３６】
これらの各発光管４，５の各電気導入体６，７の外面には、図１に示すようにニオビウムやタンタルなどの耐熱性金属からなるコネクタ１０ａ，１０ｂをスポット溶接等により電気的かつ機械的に接続している。
【００３７】
各コネクタ１０ａ，１０ｂは図１中左右一対のサポートワイヤ１１ａ，１１ｂに、スポット溶接等により電気的かつ機械的に接続されている。これにより各コネクタ１０ａ，１０ｂを介して各サポートワイヤ１１ａ，１１ｂに、各発光管４，５の各電気導入体６，７を電気的に接続すると共に、各発光管４，５を各サポートワイヤ１１ａ，１１ｂにより機械的に支持させている。
【００３８】
サポートワイヤ１１ａ，１１ｂは導電ワイヤからなり、上端部が絶縁ブリッジ１２ｃで相互に連結されており、これら上端部は弾性板１２ａ，１２ｂを介して外管３のトップ部内面に弾性的に係止されている。
【００３９】
サポートワイヤ１１ａ，１１ｂの下端部は、ステム封着支持線１３ａ，１３ｂに溶接されており、これらステム封着支持線１３ａ，１３ｂは外管３のステム１４に封着されている。これらステム封着支持線１３ａ，１３ｂは外部導線１５ａ，１５ｂにより口金２のシェル２ａおよびアイレット端子２ｂに接続されている。
【００４０】
そして、各発光管４，５の外面には、軸方向に沿って始動補助のための近接導体１６をそれぞれ設けている。これら近接導体１６は例えばクランク状に折曲されてその一部を各発光管４，５の外面に添設し、それぞれ上下両端部をサポートワイヤ１１ａ，１１ｂに溶接している。
【００４１】
そして、このように並設された２本の発光管４，５のほぼ全長を、例えば透光性石英ガラスまたは透光性セラミックスにより円筒状に形成された中管１７により覆っており、一方の発光管、例えば４の点灯時に、その発熱により、待機中の発光管５のアマルガム溜近傍の最冷部となる軸方向端部を効率的に予熱させると共に、その保温性を高めるようになっている。
【００４２】
したがって、これら発光管４，５の最冷部となる端部を少なくとも覆うように中管１７を構成してもよい。中管１７は図１中、上下一対の固定バンド９ａ，９ｂにより一対のサポートワイヤ１１ａ，１１ｂに固定される。なお、図１中、１８，１９はバリウムゲッターである。
【００４３】
図４はこのような構成の高圧ナトリウムランプ１の点灯装置２０の回路図である。点灯装置２０は交流電源２１に接続されたチョークコイル形安定器２２と公知であるから詳しい構成を省略したが、前記安定器２２に関連して設けられた始動パルス発生装置２３を備えている。すなわち、始動パルス発生装置２３の作動により、点灯装置２０の両端に始動用のパルス電圧を発生させるものである。なお、始動パルス発生装置２３としては、別個にパルストランスを有し、このトランスの出力をランプに印加するようなものであっても良い。このようなものも当該技術分野では周知である。
【００４４】
このような点灯装置２０は、高圧ナトリウムランプ１の始動時には電源電圧にパルスを重畳して高圧ナトリウムランプ１に印加する。この場合、交流電圧の正および負にそれぞれ高圧パルスが加えられる。つまり始動パルスは半サイクル毎に交互に発生する。そして、ランプ１においては、近接導体１６に負のパルスが加えられた時に、この近接導体１６側にある発光管４または５が始動し易い性質があるので、例えば口金２のアイレット端子２ｂに正のパルスが印加された場合は、一方の近接導体１６がマイナスとなり、したがってこれに接近している発光管４が始動する。
【００４５】
逆に、口金２のシェル２ａに正のパルスが印加された場合は、他方の近接導体１６がマイナスとなり、したがってこれに接近している発光管５が始動する。
【００４６】
このように、近接導体１６に正のパルスが印加される確率は５０％ずつであり、したがって始動時に各発光管４，５が始動する確率は５０％ずつになる。この比率は、点灯回数が増えるに応じて均等化されることになり、したがって、一方の発光管４または５が偏って集中的に始動されることがなくなる。
【００４７】
このため、一方の発光管４または５の使用頻度が高くなるのが防止され、一方の発光管４または５で気密性を保持できなくなったり、ナトリウムの消失が進んでランプ電圧の上昇が発生したり、早期に劣化する等の不具合がなくなり、実質的に１本の発光管を収容したランプに比べて寿命が２倍に延びることになる。
【００４８】
そして、一方の発光管、例えば４の点灯時に一瞬の停電によりこれが消灯し、この停電が瞬時に復帰した時には、それまで点灯せず待機していた圧力の低い方の発光管５が瞬時に点灯（再始動）する。この場合、この他方の発光管５の最冷部のある端部は上記一方の発光管４の点灯時に予熱されており、若干内部圧力が上がっているので、瞬時再始動時の全光束も安定点灯時の全光束のほぼ２０％程度に向上する。
【００４９】
次の表１は次の供試ランプについて、発光管４，５間の最短距離Ｌを１０〜０．５ｍｍまで種々変えて瞬時再始動させたときの全光束規格値を示している。この点灯試験の結果、最短距離Ｌが１０ｍｍ以上になると、全光束が急激に低下してしまうことが判明した。
【００５０】
【表１】
0003588919.tif 000002
【００５１】
（供試ランプ）
発光管４，５の仕様
チューブａ：透光性アルミナセラミックスから成り、内径φ５．５ｍｍ、肉厚０．７ｍｍ、端部焼狭長４．２ｍｍ、全長８１ｍｍのセミクローズド形状
電気導入体６，７：ニオビウム＋１％ジルコニウム製
電極８：タングステン製、０．７５ｍｍのウェルズにφ０．２５ｍｍのマンドレルコイルと、φ０．１ｍｍのフィラメントコイルからなるインナーコイルを巻き付け、さらにその外側にφ０．４５ｍｍのアウターコイルを巻き付けている。
封入金属：ナトリウム７．５ｗｔ％の水銀アマルガム２０ｍｇ
封入ガス：常温で約２００ｔｏｒｒのキセノン
封着剤ｄ：酸化アルミニウム、酸化カルシウムを主成分とし、酸化イットリウム、酸化ストロンチウムを添加したガラスソルダー
電極間距離５７ｍｍ定格ランプ電力：１１０Ｗ
【００５２】
外管３仕様
２本の発光管４，５をセラミックス製ホルダー（図１，２中９ａ，９ｂ）を使用してクロス角度を固定してＸ状にクロスして配置し、それを覆う形で石英から成る中管１７（内径φ２８ｍｍ等、肉厚１．５ｍｍ）を設置している。
【００５３】
また、表１中、全光束規格値は最短距離Ｌが０．５ｍｍの場合の各光束を１００％としたときの規格値であって、全光束規格値が同じ１００％であっても、全光束の絶対値はみな同数値ではなく、中管１７の直径が小さい程全光束は高い。
【００５４】
さらに、表１中、Ｌａは図５に示すように２本の発光管４，５同士間の水平方向の距離を，Ｌｂは垂直方向の距離を、γは発光管４，５の半径をそれぞれ示している。
【００５５】
したがって、最短距離Ｌは次の数（１）式で求めることができる。
【００５６】
【数１】
Ｌ＝｛（２ｒ＋Ｌａ）２＋（２ｒ＋Ｌｂ）２｝１／２−２ｒ      ……（１）
【００５７】
図６は２本の発光管４，５間の最短距離Ｌ（ｍｍ）と上記瞬時最始動時の全光束規格値との相対関係を、中管１７の内径を種々変えた場合について示しており、最短距離Ｌが１０ｍｍ以上になると、中管１７の内径の如何に拘らず、全光束が急激に低下することを示している。
【００５８】
この現象の明確なメカニズムは不明であるが、次のように考えることができる。つまり、発光管４，５の管端には凝集したアマルガムがあり、そのアマルガム凝集箇所が最冷部である。この最冷部温度によってナトリウムおよび水銀の蒸気圧が決まるが、その緩衝ガスである水銀の蒸気圧によってアークの電位傾度が決まり、その電子傾度によって発生するエネルギーでナトリウムの発光強度（その発光は原子が一定以上のエネルギーを受けた時にその電離により起こる現象である）が決まる。
【００５９】
すなわち全光束はナトリウムの蒸気圧と主に水銀蒸気圧によって決まるアークの電位傾度に依存していて、ナトリウム蒸気圧と水銀蒸気圧の２つの要因が複雑に絡み合っているのである。
【００６０】
したがって、全光束は各発光管４，５の端部の温度によって単純に増加するものではない。そこで上述のように待機側発光管、例えば４と、もう一方の発光管、例えば５の最短距離（Ｌ）が１０ｍｍ以上になると、その距離によって変化する放射熱による待機側発光管４の管端の温度が低下して急激に光束が低下してしまうターニングポイントとなる最冷部温度になっているのではないと考えられる。
【００６１】
また、表１で示す試験を中管１７の内径をφ２２ｍｍからφ３５ｍｍまで変えて行ったが、ターニングポイントになる距離に大差はなく、これらの範囲の内径の中管１７では待機側発光管４の管端の温度に及ぼす影響力は中管１７との距離より点灯側発光管４との距離の方が強いと考えられる。
【００６２】
さらに、この点灯側発光管５からの放射熱はそのチューブ温度により決まるが、実用上ランプ効率とアルミナの使用限界温度の兼ね合いからランプ電力に拘らずほぼ一定なので、上述のターニングポイントになる距離はランプ電力には関係なくほぼ一定と考えられる。
【００６３】
なお、本実施形態では２本の発光管４，５を、Ｘ状にクロス配置した場合の一例について示したが、ほぼ平行に配置した場合にも当然上記光束向上効果は得られた。
【００６４】
また、本実施形態では中管１７として石英ガラス製のものを示したが、透光性セラミックス製でもよく、さらに、中管１７に、拡散効果をもたらすために石英ガラスや透光セラミックスにブラストやふっ酸等の化学処理を施して半透明化させたものでも当然同様の効果は得られる。
【００６５】
図７は本発明の第２の実施形態の照明装置３１を示しており、これは上記した実施形態の高圧ナトリウムランプ１を光源として照明器具本体３２内に収容している。
【００６６】
つまり、照明装置３１は照明器具本体３２の内面に反射面３２ａを有すると共に、下面または一側面が開口されたハウジング構造をなしている。開口下面には前面ガラス３３を設けてもよい。この照明器具本体３２の側壁にはソケット３４が取り付けられており、このソケット３４内には高圧ナトリウムランプ１の口金２がねじ込まれて照明器具本体３２に取り付けられている。
【００６７】
ソケット３４は、照明器具本体３２に取り付けられた、または器具本体３２の外部に設置された図２で示す点灯装置２０を介して商用電源３５に接続されるようになっている。この実施形態によれば、瞬時再始動時の相対光束を向上させることができる高圧ナトリウムランプ１を具備しているので、照明装置３１としてもこれとほぼ同様の作用効果を奏することができる。
【００６８】
なお、上記実施形態では本発明を高圧ナトリウムランプに適用した場合について説明したが、本発明はこれに限定されるものではなく、例えばメタルハライドランプにも適用することができる。
【００６９】
そして、本願第３の実施形態は上記各発光管４，５内に封入された水銀アマルガムに対するナトリウム（Ｎａ）比を１５重量％以上に設定していることに特徴がある。
【００７０】
図８に示すように、この実施形態によれば、水銀アマルガムに対するＮａ比を１５重量％以上に設定することにより瞬時再始動時の相対光束（％）を安定点灯時の全光束に対して約２０％程度に向上させることができる。また、この実施形態では発光管４，５内に始動ガスを１０〜３００ｔｏｒｒで封入し、発光管４，５同士の最短距離Ｌを２ｍｍ以下に設定している。
【００７１】
さらに、点灯中の発光管、例えば４からの熱伝導をできる限り少なくするために２本の発光管４または５を支持兼電気導入の役割をする電気導入体６，７の直径を２ｍｍ以下にする。２本の発光管４または５の始動性を容易にするために設けられている近接補助導体１６が一端のみランプの他の金属部分に接している場合、金属に接していないもう一端の寿命中や製造工程での浮きを防止するためにその一端を発光管４または５に対して垂直に折り曲げ、その先端を中管１７に接触させてもよい。
【００７２】
【発明の効果】
以上説明したように本願の請求項１によれば、１つの外管内に収容されている例えば２本の発光管を、その一方と隣り合う他方の軸方向端部との最短距離が１０ｍｍ未満で近接するように並設しているので、外管内で一方の発光管が点灯中のときは、この点灯中の発光管の発熱により、待機中の他方の発光管の最冷部を加熱することができる。
【００７３】
このために、瞬時停電等で一時的に電源を喪失し、かつ瞬時に復帰したときには、待機中の発光管が瞬時点灯（再始動）し、その瞬時再始動時の全光束も例えば安定点灯時の全光束に対する比率で約２０％程度に高めることができる。
【００７４】
また、２本の発光管の外周を中管により囲むので、これら発光管を保温することができる。このために、ナトリウムの蒸気圧を高めることができるので、待機側発光管の再始動時の全光束を向上させることができる。
【００７５】
請求項２によれば、各発光管の水銀アマルガムに対するナトリウム比が共に１５重量％以上であるので、瞬時再始動時の全光束を安定点灯時の全光束に対する比率で、アマルガムナトリウム比が１５重量％未満の場合の約１０％程度から約２０％程度に向上させることができた。
【００７６】
請求項３によれば、２本の発光管同士を、これらの最短距離が２ｍｍ以下になるように近接させているので、点灯中の発光管の発熱により待機中の発光管を効率的に加熱することができる。このために、ナトリウムの蒸気圧を高めることができるので、待機側発光管の瞬時再始動時の全光束を向上させることができる。
【００７７】
請求項４によれば、中管に光拡散手段を設けたので、光拡散効果を奏することができる。
【００７８】
請求項５によれば、中管が石英ガラス製、または透光性セラミックス製でも保温効果を有するので、請求項１の発明とほぼ同様の作用効果を奏することができる。
【００７９】
請求項６の点灯装置と、請求項７の照明装置は、共に請求項１ないし５のいずれか一記載の高圧放電ランプを有するので、これらランプとほぼ同様の作用効果を奏することができる。
【図面の簡単な説明】
【図１】本発明の第１の実施形態に係る高圧ナトリウムランプの正面図。
【図２】図２の側面図。
【図３】図１で示す各発光管の部分縦断面図。
【図４】図１で示す高圧ナトリウムランプの点灯装置の回路図。
【図５】図１で示す２本の発光管同士間の最短距離を示す模式図。
【図６】図１で示す高圧ナトリウムランプの瞬時再始動時の相対光束を示すグラフ。
【図７】本発明の第２の実施形態に係る照明装置の構成図。
【図８】本発明の第３の実施形態に係る高圧ナトリウムランプの瞬時再始動時の相対光束を示すグラフ。
【符号の説明】
１  高圧ナトリウムランプ
２  口金
３  外管
４，５  発光管
６，７  電気導入体
８  電極
９ａ，９ｂ  固定バンド
１０ａ，１０ｂ  コネクタ
１１ａ，１１ｂ  サポートワイヤ
１６  近接導体
１７  中管
２０  点灯装置
２３  始動パルス発生装置
３１  照明装置
３２  照明器具本体
【図１】
0003588919.tif 000003
【図２】
0003588919.tif 000004
【図３】
0003588919.tif 000005
【図４】
0003588919.tif 000006
【図５】
0003588919.tif 000007
【図６】
0003588919.tif 000008
【図７】
0003588919.tif 000009
【図８】
0003588919.tif 000010